(57)【要約】【課題】歩行感及び仕上がり外観が良好となるよう簡単に施工され、梱包時に破損し難くコンパクトに収容される玄関框及びこれを施工した玄関框施工構造を提供すること。【解決手段】玄関のフロアー上がりコーナー部分Ａに設置される玄関框であって、コーナー部分Ａに沿った縦片部１と横片部２とでなる断面略Ｌ字状に合成樹脂押出成形体で形成されたコーナー部材３と、このコーナー部材３の縦片部１の下端部分１ａから垂設される切断可能な木質板材で形成された平板状の見付板部材４と、を有し、コーナー部材３において、横片部２は縦片部１よりも薄厚でその上面２ａが断面湾曲状に膨出形成されてその後端部分２ｂがフロアー板材５の前端部分５ａを覆い隠すものであり、縦片部１の下端部分１ａには見付板部材４の適宜切断された上端部分４ａを納め隠す凹所６が形成されてなる。【選択図】図２
2014005670.tif 000002
【特許請求の範囲】
【請求項１】
玄関のフロアー上がりコーナー部分に設置される玄関框であって、前記コーナー部分に沿った縦片部と横片部とでなる断面略Ｌ字状に合成樹脂押出成形体で形成されたコーナー部材と、このコーナー部材の前記縦片部の下端部分に接合されて垂設される切断可能な木質板材で形成された平板状の見付板部材と、を有し、前記コーナー部材において、前記横片部は前記縦片部よりも薄厚でその上面が断面湾曲状に膨出形成されてその後端部分が前記玄関のフロアー上がり部分に敷設されたフロアー板材の前端部分を覆い隠すものであり、前記縦片部の下端部分には前記見付板部材の適宜切断された上端部分を納め隠す凹所が形成されてなる玄関框。
【請求項２】
前記凹所が前記縦片部の下方及び背方へと開放された段形状に形成されていることを特徴とする請求項１記載の玄関框。
【請求項３】
請求項１又は２記載の玄関框を用いた玄関框施工構造であって、前記コーナー部分に沿って前記コーナー部材を設置固定した状態で、前記見付板部材の予め適宜切断された上端部分を前記凹所に収容してなる玄関框施工構造。
【請求項４】
前記玄関のフロアー上がり部分が、前記見付板部材の下地として施工される見付下地板材と、この見付下地板材の上端部分の背面に当接配置されてフロアー下地上に敷設される前記フロアー板材と、で構成されており、前記コーナー部材をその横片部の後端部分が前記見付下地板材の上端部分と共に前記フロアー板材の前端部分を覆い隠すように設置固定したことを特徴とする請求項３記載の玄関框施工構造。
【発明の詳細な説明】
【技術分野】
【０００１】
本発明は、玄関のフロアー上がりコーナー部分に沿って設置される断面略Ｌ字状の玄関框に関するものである。
【背景技術】
【０００２】
従来から、玄関のフロアー上がりコーナー部分に沿って設置される断面略Ｌ字状の玄関框は知られている（例えば、実開昭５７−１２５８６２号公報、特開２０００−１３６６２２号公報等参照）。
【０００３】
この種の玄関框は、図３に示す如く、玄関のフロアー上がりコーナー部分Ａに設置されるもので、この玄関框１３は、コーナー部分Ａに沿った見付板部１４と上板部１５とでなる断面略Ｌ字状に形成されている。この場合、見付板部１４及び上板部１５はいずれも木製で、両者が一体となって玄関框１３は形成されている。また、玄関では、土間９の上面がタイルやセメント等の土間仕上げ材１０で施工されており、玄関のフロアー上がり部分では、基礎１１上に大引き等の土台１２が施工され、その上に架設される根太等によってフロアー下地８が施工されている。
【０００４】
そして、玄関のフロアー上がりコーナー部分Ａに玄関框１３が設置固定され、玄関框１３の見付板部１４の下方においてタイルやセメント等の見付仕上げ材１６が施工され、フロアー下地８上には玄関框１３の上板部１５が設置されて、この上板部１５の後端部にフロアー板材５はその前端部が当接されてフロアー下地８上に敷設施工される。また、図４に示す如く、玄関框１３の表面には、上板部１５の後端面と見付板部１４の下端面とにわたって化粧シート１７（図４に点線で示す）が貼着されている。したがって、玄関框１３が設置された玄関のフロアー上がりコーナー部分Ａは、仕上がり外観良好に施工される。
【先行技術文献】
【特許文献】
【０００５】
【特許文献１】実開昭５７−１２５８６２号公報
【特許文献２】特開２０００−１３６６２２号公報
【発明の概要】
【発明が解決しようとする課題】
【０００６】
しかしながら、上記従来の玄関框１３にあっては、玄関框１３の上板部１５の後端部とフロアー板材５の前端部との当接部分に隙間や段差が発生し易くて、歩行感や外観に支障を来たすという問題があり、これを防止するために、フロアー板材５の前端部を正確に切断する必要があって、施工も面倒になるという問題があった。
【０００７】
しかも、玄関框１３の見付板部１４の下端部分に対する見付仕上げ材１６の上端部分の納まりが悪く、見付板部１４の上下方向の巾寸法を変更するのも困難であるという問題があった。すなわち、見付板部１４の下端面は化粧シート１７が貼着されて仕上げられており、この見付板部１４の下端部を切断すると仕上がり外観に支障を来たすという問題があった。
【０００８】
また、玄関框１３が木製で見付板部１４と上板部１５とが一体となった断面略Ｌ字状であるため、図５に示す如く、梱包された際に、梱包容積は大きくなり、外力が加わった場合に、見付板部１４と上板部１５との角部分に応力が集中してこの角部分で破損し易いという問題もあった。
【０００９】
本発明は、上記背景技術に鑑みて発明されたもので、その目的は、歩行感及び仕上がり外観が良好となるよう簡単に施工され、その際、見付板部分の上下方向の巾寸法を変更するのも容易であり、梱包された際に、破損し難くコンパクトに収容される玄関框及びこれを施工した玄関框施工構造を提供することである。
【課題を解決するための手段】
【００１０】
上記課題を解決するために、本発明の玄関框は、玄関のフロアー上がりコーナー部分に設置される玄関框であって、前記コーナー部分に沿った縦片部と横片部とでなる断面略Ｌ字状に合成樹脂押出成形体で形成されたコーナー部材と、このコーナー部材の前記縦片部の下端部分に接合されて垂設される切断可能な木質板材で形成された平板状の見付板部材と、を有し、前記コーナー部材において、前記横片部は前記縦片部よりも薄厚でその上面が断面湾曲状に膨出形成されてその後端部分が前記玄関のフロアー上がり部分に敷設されたフロアー板材の前端部分を覆い隠すものであり、前記縦片部の下端部分には前記見付板部材の適宜切断された上端部分を納め隠す凹所が形成されてなる。
【００１１】
また、本発明の玄関框では、前記凹所が前記縦片部の下方及び背方へと開放された段形状に形成されていることが好ましい。
【００１２】
また、本発明の玄関框施工構造は、前記玄関框を用いた玄関框施工構造であって、前記コーナー部分に沿って前記コーナー部材を設置固定した状態で、前記見付板部材の予め適宜切断された上端部分を前記凹所に収容してなる。
【００１３】
また、本発明の玄関框施工構造では、前記玄関のフロアー上がり部分が、前記見付板部材の下地として施工される見付下地板材と、この見付下地板材の上端部分の背面に当接配置されてフロアー下地上に敷設される前記フロアー板材と、で構成されており、前記コーナー部材をその横片部の後端部分が前記見付下地板材の上端部分と共に前記フロアー板材の前端部分を覆い隠すように設置固定していることが好ましい。
【発明の効果】
【００１４】
本発明の玄関框及び玄関框施工構造では、歩行感及び仕上がり外観が良好となるよう簡単に施工され、その際、見付板部分の上下方向の巾寸法を変更するのも容易であり、梱包された際に、玄関框は破損し難くコンパクトに収容される。
【図面の簡単な説明】
【００１５】
【図１】本発明の一実施形態である玄関框が施工された状態を示す断面図
【図２】同実施形態である玄関框が施工された状態を示す要部（図１におけるＸ部分）拡大断面図
【図３】従来の玄関框が施工された状態を示す断面図
【図４】同従来の玄関框を示す断面図
【図５】同従来の玄関框が梱包された状態を示す概略斜視図
【発明を実施するための形態】
【００１６】
図１、２は、本発明の一実施形態である玄関框及び玄関框施工構造を示している。この実施形態の玄関框は、玄関のフロアー上がりコーナー部分Ａに設置される玄関框であって、コーナー部分Ａに沿った縦片部１と横片部２とでなる断面略Ｌ字状に合成樹脂押出成形体で形成されたコーナー部材３と、このコーナー部材３の縦片部１の下端部分に接合されて垂設される切断可能な木質板材で形成された平板状の見付板部材４と、を有している。そして、コーナー部材３において、横片部２は縦片部１よりも薄厚でその上面２ａが断面湾曲状に膨出形成されてその後端部分２ｂが玄関のフロアー上がり部分に敷設されたフロ
アー板材５の前端部分５ａを覆い隠すものである。また、縦片部１の下端部分１ａには、見付板部材４の適宜切断された上端部分４ａを納め隠す凹所６が形成されており、この凹所６は縦片部１の下方及び背方へと開放された段形状に形成されている。
【００１７】
また、この実施形態の玄関框施工構造は、上記玄関框を用いたものであって、コーナー部分Ａに沿ってコーナー部材３を設置固定した状態で、見付板部材４の予め適宜切断された上端部分４ａを凹所６に収容してなる。この場合、玄関のフロアー上がり部分が、見付板部材４の下地として施工される見付下地板材７と、この見付下地板材７の上端部分７ａの背面に当接配置されてフロアー下地８上に敷設されるフロアー板材５と、で構成されている。そして、コーナー部材３をその横片部２の後端部分２ｂが見付下地板材７の上端部分７ａと共にフロアー板材５の前端部分５ａを覆い隠すように設置固定している。
【００１８】
以下、この実施形態の玄関框及び玄関框施工構造をより具体的に説明する。図１に示す如く、玄関では、土間９の上面がタイルやセメント等の土間仕上げ材１０で施工されており、玄関のフロアー上がり部分では、基礎１１上に大引き等の土台１２が施工され、その上に架設される根太等によってフロアー下地８が施工されている。そして、玄関のフロアー上がり部分の前面には、見付板部材４の下地となる見付下地板材７が貼着固定され、その際、見付下地板材７の上端部分７ａはフロアー下地８の上面よりも上方に突出した状態に施工されており、この突出寸法はフロアー板材５の厚さ寸法と略等しいか以下であればよい。
【００１９】
上記のように施工された状態にある玄関のフロアー上がりコーナー部分Ａに、玄関框は設置施工される。玄関框は、図２にも示す如く、コーナー部分Ａに沿った縦片部１と横片部２とでなる断面略Ｌ字状に合成樹脂押出成形体で形成されたコーナー部材３と、このコーナー部材３の縦片部１の下端部分１ａに接合されて垂設される切断可能な木質板材で形成された平板状の見付板部材４と、の二部材に分割して形成されている。
【００２０】
そして、コーナー部材３において、横片部２は縦片部１よりも薄厚でその上面２ａが断面湾曲状に膨出形成されてその後端部分２ｂが玄関のフロアー上がり部分に敷設されたフロアー板材５の前端部分５ａを覆い隠すものである。この場合、横片部２の上面２ａとフロアー板材５の上面との間での段差は小さくなり、横片部２の上面２ａが断面湾曲状に膨出形成されていることで、歩行感の良い滑り止め作用が発揮され、施工仕上がり外観も良好となる。
【００２１】
また、フロアー下地８の上面よりも上方に突出した状態に施工された見付下地板材７の上端部分７ａの背面に、フロアー板材５の前端部分５ａを当接させてフロアー下地８上にフロアー板材５を敷設施工することができる。そのため、長さ調整のために適宜切断されたフロアー板材５の前端部分５ａを位置決めして簡単に敷設施工することができ、この適宜切断されたフロアー板材５の前端部分５ａはコーナー部材３の横片部２の後端部分２ｂで覆い隠されて、不正確な切断部位であっても体裁良く納め仕上げることができる。この場合、コーナー部材３の横片部２の後端部分２ｂによって、フロアー板材５の前端部分５ａと共に見付下地板材７の上端部分７ａも覆い隠される。
【００２２】
また、縦片部１の下端部分１ａには、見付板部材４の適宜切断された上端部分４ａを納め隠す凹所６が形成されており、この凹所６は縦片部１の下方及び背方へと開放された段形状に形成されている。この場合、見付板部材４は、合板やＭＤＦ等の切断可能な木質板材で形成された平板状であるが、その表面から下端面にわたって化粧シートが貼着されたり塗装されたりして化粧仕上げが施されている。そのため、見付板部材４は、化粧仕上げされていない上端部分４ａが適宜切断されて、その上下方向の巾寸法を玄関の外観に適合する所望の寸法に変更することができる。すなわち、見付板部材４の下端部と土間仕上げ
材１０との間で露出する見付下地板材７の露出上下巾寸法を容易に調整することができる。
【００２３】
しかも、適宜切断された見付板部材４の上端部分４ａは縦片部１の下端部分１ａに形成された凹所６に納め隠されて、不正確な切断部位であっても体裁良く納め仕上げることができる。この場合、凹所６は縦片部１の下方及び背方へと開放された段形状で、縦片部１と横片部２との内角部分と凹所６の前方角部分との二段形状となっていて、見付下地板材７の上端部分７ａ及びフロアー板材５の前端部分５ａと見付板部材４の上端部分４ａとが確実に収容されて体裁良く覆い隠される。
【００２４】
したがって、この実施形態の玄関框及び玄関框施工構造においては、歩行感及び仕上がり外観が良好となるよう簡単に施工され、その際、見付板部材４の上下方向の巾寸法を変更するのも容易である。しかも、玄関框は、合成樹脂押出成形体で形成されたコーナー部材３と、切断可能な木質板材で形成された平板状の見付板部材４と、の二部材に分割して形成されているので、玄関框をコーナー部材３と見付板部材４との二部材に分割しコンパクトに収容して梱包することができる。また、その際、合成樹脂でなるコーナー部材３は破損し難く、木製で切断可能な見付板部材４も平板状で応力集中する角部分がなくて破損し難いものである。
【００２５】
なお、上記実施形態において、コーナー部材３の横片部２は縦片部１よりも薄厚でその上面２ａが断面湾曲状に膨出形成されていて、横片部２の上面２ａとフロアー板材５の上面との間での段差は小さくなるが、この段差をより小さくするためには、横片部２の後端部分２ｂが先鋭状に薄厚となっていることが好ましい。また、上記実施形態において、コーナー部材３の縦片部１の下端部分１ａに形成される凹所６は縦片部１の下方及び背方へと開放された段形状であったが、凹所６は下方へのみ開放された溝形状に形成されてもよい。
【符号の説明】
【００２６】
１  縦片部
１ａ  下端部分
２  横片部
２ａ  上面
２ｂ  後端部分
３  コーナー部材
４  見付板部材
４ａ  上端部分
５  フロアー板材
５ａ  前端部分
６  凹所
７  見付下地板材
７ａ  上端部分
８  フロアー下地
Ａ  コーナー部分
【図１】
2014005670.tif 000003
【図２】
2014005670.tif 000004
【図３】
2014005670.tif 000005
【図４】
2014005670.tif 000006
【図５】
2014005670.tif 000007